(57)【要約】【課題】受信装置を被検者に取り付ける際に、被検者の照合を的確に、かつ容易に行うこと。【解決手段】カプセル型内視鏡３を使用した検査前に、表示装置４から受信装置２の外部装置２ｂに被検者の識別情報を登録させ、さらに外部装置２ｂを被検者に取り付ける直前に、その登録された識別情報のうち、被検者に固有の特定情報、たとえば顔のイメージ情報を外部装置２ｂの表示部１４に表示させて、実際の被検者との照合を行うことで、被検者の照合を的確に行うことが可能となり、これによって被検者の取り違えを防ぐ。【選択図】        図１
2005296186.tif 000002
【特許請求の範囲】
【請求項１】
被検者の体内に導入された送信装置から送信される無線信号を受信する前記被検者が携帯する受信装置において、
前記被検者に固有の識別情報を取り込む取込手段と、
前記取込手段で取り込んだ識別情報を記憶する記憶手段と、
前記記憶手段で記憶した識別情報を表示する表示手段と、
を備えることを特徴とする受信装置。
【請求項２】
前記表示手段は、前記記憶手段に記憶された識別情報のうち、少なくとも前記被検者の氏名および年齢に関する識別情報を表示することを特徴とする請求項１に記載の受信装置。
【請求項３】
前記表示手段は、前記記憶手段に記憶された識別情報のうち、少なくとも前記被検者の顔に関する識別情報を表示することを特徴とする請求項１に記載の受信装置。
【請求項４】
前記受信装置は、前記記憶手段に記憶された識別情報のうち、特定の識別情報を前記表示手段に表示させる表示制御手段を、
さらに備えることを特徴とする請求項１〜３のいずれか一つに記載の受信装置。
【請求項５】
前記表示制御手段は、外部の指示装置からの指示に基づいて、前記表示手段に表示させる前記特定の識別情報を選択することを特徴とする請求項４に記載の受信装置。
【請求項６】
前記受信装置は、前記特定の識別情報を選択するための指示を与える指示手段を、
さらに備え、前記表示制御手段は、前記指示手段からの指示に基づいて、前記表示手段に表示させる前記特定の識別情報を選択することを特徴とする請求項４に記載の受信装置。
【発明の詳細な説明】
【技術分野】
【０００１】
本発明は、被検体内に導入された被検体内導入装置、たとえば飲み込み型のカプセル型内視鏡から送信される無線映像信号を被検体外の複数のアンテナを用いて受信する受信装置に関し、特に被検者への取り付け前に被検者の照合を行うための受信装置に関するものである。
【背景技術】
【０００２】
近年、内視鏡の分野では、撮像機能と無線通信機能とが装備されたカプセル型内視鏡が登場している。このカプセル型内視鏡は、観察（検査）のために被検体である被検者の口から飲み込まれた後、被検者の生体から自然排出されるまでの観察期間、たとえば胃、小腸などの臓器の内部（体腔内）をその蠕動運動に伴って移動し、撮像機能を用いて順次撮像する構成を有する。
【０００３】
また、これら臓器内を移動するこの観察期間、カプセル型内視鏡によって体腔内で撮像された画像データは、順次Ｂｌｕｅｔｏｏｔｈなどの無線通信機能により、被検体の外部に送信され、外部の受信装置内に設けられたメモリに蓄積される。被検者がこの無線通信機能とメモリ機能を備えた受信装置を携帯することにより、被検者は、カプセル型内視鏡を飲み込んだ後、排出されるまでの観察期間であっても、不自由を被ることなく自由に行動が可能になる。観察後は、医者もしくは看護士によって、受信装置のメモリに蓄積された画像データに基づいて、体腔内の画像をディスプレイなどの表示手段に表示させて診断を行うことができる。
【０００４】
一般に、受信装置は、カプセル型内視鏡から送信される映像信号を受信するための複数のアンテナを被検体外部に分散配置し、映像信号の受信誤りが少ない１つのアンテナを選択切り替えして受信するようにしている。なお、特許文献１には、被検体外部に配置された複数のアンテナの受信切り替えを行い、各アンテナが受信する電界強度に基づいて、映像信号の発信源である被検体内のカプセル型内視鏡の位置を探知する受信機が記載されている。
【０００５】
【特許文献１】特開２００３−１９１１１号公報
【発明の開示】
【発明が解決しようとする課題】
【０００６】
しかしながら、この受信機は、表示手段を備えていないため、被検者への取り付けの際に、その場で被検者本人かどうかの照合を行うことができないという問題があり、被検者の取り違えに際して、細心の注意を払う必要があった。
【０００７】
本発明は、上記問題に鑑みてなされたものであって、受信装置を被検者に取り付ける際に、被検者の照合を的確に、かつ容易に行うことができる受信装置を提供することを目的とする。
【課題を解決するための手段】
【０００８】
上述した課題を解決し、目的を達成するために、本発明にかかる受信装置は、被検者の体内に導入された送信装置から送信される無線信号を受信する前記被検者が携帯する受信装置において、前記被検者に固有の識別情報を取り込む取込手段と、前記取込手段で取り込んだ識別情報を記憶する記憶手段と、前記記憶手段で記憶した識別情報を表示する表示手段と、を備える。
【０００９】
また、請求項２の発明にかかる受信装置は、上記発明において、前記表示手段は、前記記憶手段に記憶された識別情報のうち、少なくとも前記被検者の氏名および年齢に関する識別情報を表示することを特徴とする。
【００１０】
また、請求項３の発明にかかる受信装置は、上記発明において、前記表示手段は、前記記憶手段に記憶された識別情報のうち、少なくとも前記被検者の顔に関する識別情報を表示することを特徴とする。
【００１１】
また、請求項４の発明にかかる受信装置は、上記発明において、前記記憶手段に記憶された識別情報のうち、特定の識別情報を前記表示手段に表示させる表示制御手段を、さらに備えることを特徴とする。
【００１２】
また、請求項５の発明にかかる受信装置は、上記発明において、前記表示制御手段は、外部の指示装置からの指示に基づいて、前記表示手段に表示させる識別情報を選出することを特徴とする。
【００１３】
また、請求項６の発明にかかる受信装置は、上記発明において、前記特定の識別情報を選択するための指示を与える指示手段を、さらに備え、前記表示制御手段は、前記指示手段からの指示に基づいて、前記表示手段に表示させる前記特定の識別情報を選択することを特徴とする。
【発明の効果】
【００１４】
本発明にかかる受信装置は、受信装置に取り込まれて記憶された被検者の識別情報のうち、被検者に固有の識別情報を表示手段に表示させて、被検者の照合を可能にするので、受信装置を被検者に取り付ける際に、被検者の照合を的確に、かつ容易に行うことができるという効果を奏する。
【発明を実施するための最良の形態】
【００１５】
以下に、本発明にかかる受信装置の実施の形態を図１〜図６の図面に基づいて詳細に説明する。なお、本発明は、これらの実施の形態に限定されるものではなく、本発明の要旨を逸脱しない範囲で種々の変更実施の形態が可能である。
【００１６】
（実施の形態１）
図１は、実施の形態１にかかる受信装置を備えた無線型被検体内情報取得システムの全体構成を示す模式図である。図１において、無線型被検体内情報取得システムは、無線受信機能を有する受信装置２と、被検体１内に導入され、体腔内画像を撮像して受信装置２に対して映像信号などのデータ送信を行うカプセル型内視鏡（被検体内導入装置）３とを備える。また、無線型被検体内情報取得システムは、受信装置２が受信した映像信号に基づいて体腔内画像を表示する表示装置４と、受信装置２と表示装置４との間でデータの受け渡しを行うための携帯型記録媒体５とを備える。受信装置２は、被検体１によって着用される受信ジャケット２ａと、受信される無線信号の処理などを行う外部装置２ｂとを備える。
【００１７】
表示装置４は、カプセル型内視鏡３によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００１８】
携帯型記録媒体５は、外部装置２ｂおよび表示装置４に対して着脱可能であって、両者に対して挿着された時に情報の出力または記録が可能な構造を有する。この実施の形態では、携帯型記録媒体５は、たとえば検査前には、ワークステーションの表示装置４に挿着されて検査ＩＤなどの識別情報が記憶され、さらに検査の直前には、外部装置２ｂに挿着され、この外部装置２ｂによって、この識別情報が読み出されて外部装置２ｂ内に登録される。また、カプセル型内視鏡３が被検体１の体腔内を移動している間は、携帯型記録媒体５は、被検体１に取り付けられた外部装置２ｂに挿着されてカプセル型内視鏡３から送信されるデータを記録する。そして、カプセル型内視鏡３が被検体１から排出された後、つまり、被検体１の内部の撮像が終了した後には、外部装置２ｂから取り出されて表示装置４に挿着され、この表示装置４によって、携帯型記録媒体５に記録されたデータが読み出される構成を有する。たとえば、外部装置２ｂと表示装置４とのデータの受け渡しを、コンパクトフラッシュ（登録商標）メモリなどから構成される携帯型記録媒体５によって行うことで、外部装置２ｂと表示装置４との間が有線で直接接続された場合よりも、被検体１が体腔内の撮影中に自由に動作することが可能となる。なお、ここでは、外部装置２ｂと表示装置４との間のデータの受け渡しに携帯型記録媒体５を使用したが、必ずしもこれに限らず、たとえば外部装置２ｂに内蔵型の他の記録装置、たとえばハードディスクを用い、表示装置４との間のデータの受け渡しのために、双方を有線または無線接続するように構成してもよい。
【００１９】
次に、図２の模式図および図３のブロック図を用いて受信装置の構成について説明する。受信装置２は、カプセル型内視鏡３から無線送信された体腔内の画像データを受信する機能を有する。図２および図３に示すように、受信装置２は、被検体１によって着用可能な形状を有し、受信用アンテナＡ１〜Ａｎを備えた受信ジャケット２ａと、受信ジャケット２ａを介して受信された無線信号の処理などを行う外部装置２ｂとを備える。なお、各受信用アンテナＡ１〜Ａｎは、直接被検体１の外表面に貼付して、受信ジャケット２ａに備え付けられなくてもよく、また受信ジャケット２ａに着脱可能なものでもよい。
【００２０】
外部装置２ｂの外表面には、図２に示すように、電力供給用の電池を収納する電池パック６が外付けされており、この電池パック６が外部装置２ｂに装着されると、電池と外部装置２ｂの後述する内部機器とが電気的に接続されて、これら内部機器への電力供給が可能な状態となる。この外表面の前面には、たとえば液晶ディスプレイからなる表示手段としての表示部１４が設けられ、たとえば上記登録された検査ＩＤなどの識別情報の表示を行っている。また、外表面の前面には、指示手段としての操作スイッチ１９が設けられ、たとえば表示部１４に表示させる情報の選択や表示部１４の色調の調整などを可能にしている。この外表面の側面には、携帯型記録媒体５の挿入部２０が設けられ、挿入された携帯型記録媒体５を着脱可能に保持し、外部装置２ｂによる画像データの記録を可能にしている。さらに、この外表面の上面には、受信用アンテナＡ１〜Ａｎを接続するための接続部ＣＯＮが設けられている。なお、これら受信用アンテナＡ１〜Ａｎは、上記接続部ＣＯＮに接続するコネクタＣＯＮ１〜ＣＯＮｎを有する。
【００２１】
外部装置２ｂは、カプセル型内視鏡３から送信された無線信号の処理を行う機能を有する。すなわち、外部装置２ｂは、図３に示すように、各受信用アンテナＡ１〜Ａｎの接続切り替えを行う切替スイッチＳＷと、この切替スイッチＳＷの後段に接続され、切替スイッチＳＷによって切り替え接続された受信用アンテナＡ１〜Ａｎからの無線信号を増幅し、復調する受信回路１１とを有し、さらに受信回路１１の後段には、信号処理回路１２と、サンプルホールド回路１５とが接続される。サンプルホールド回路１５の後段には、さらにＡ／Ｄ変換部１６が接続される。
【００２２】
制御部Ｃは、制御手段としての選択制御部Ｃ１を有し、信号処理回路１２、Ａ／Ｄ変換部１６、携帯型記録媒体５に対応する記憶部１３、表示部１４および切替制御部ＳＣを接続する。切替制御部ＳＣは、強度受信アンテナ番号Ｎ１および映像受信アンテナ番号Ｎ２を有し、これらの番号情報をもとに、切替スイッチＳＷの切替指示を行うとともに、サンプルホールド回路１５、Ａ／Ｄ変換部１６および選択制御部Ｃ１の処理タイミングを指示する。また、制御部Ｃは、図示しない内部メモリを有し、記憶部１３に記憶された識別情報を記憶手段としての内部メモリに登録するとともに、インターフェース部１８を介して入力する操作スイッチ１９からの情報選択に基づいて、この識別情報の中から選択された特定の識別情報（以下、「特定情報」という）を表示部１４に表示させる。すなわち、この制御部Ｃは、識別情報を取り込む取込手段、および特定情報を表示部１４に表示させる表示制御手段としての機能も兼ね備える。電力供給部１７は、上記電池パック６内の電池からなり、上述した各内部機器への電力供給を行う。
【００２３】
外部装置２ｂの切替スイッチＳＷは、切替制御部ＳＣからの切替指示に基づき、受信用アンテナＡ１〜Ａｎからの無線信号を受信回路１１に出力する。ここで、切替スイッチＳＷは、受信用アンテナＡ１〜Ａｎの配置位置にそれぞれ対応して各受信用アンテナＡ１〜Ａｎを接続するアンテナ切替手段としての接続部ＣＯＮを有する。
【００２４】
さて、図３において、受信回路１１は、上述したように、無線信号を増幅し、復調した映像信号Ｓ１を信号処理回路１２に出力するとともに、増幅した無線信号の受信電界強度である受信強度信号Ｓ２をサンプルホールド回路１５に出力する。信号処理回路１２によって処理された映像データは、制御部Ｃによって記憶部１３に記憶されるとともに、表示部１４によって表示出力される。サンプルホールド回路１５によってサンプルホールドされた信号は、Ａ／Ｄ変換部１６によってデジタル信号に変換され、制御部Ｃに取り込まれ、最も大きい受信電界強度を受信した受信用アンテナを映像信号期間の受信用アンテナとして選択するとともに、この選択された受信用アンテナ以外の受信用アンテナを順次、強度受信期間の受信用アンテナとして選択し、それぞれの受信用アンテナ番号を、映像受信アンテナ番号Ｎ２、強度受信アンテナ番号Ｎ１とする信号Ｓ４として切替制御部ＳＣに出力する。ここで、選択制御部Ｃ１が切替対象の受信用アンテナとして設定するのは、信号Ｓ６をもとに現に接続された受信用アンテナＡ１〜Ａｎのみを対象とする。また、制御部Ｃは、強度受信期間の受信電界強度および映像受信期間の受信電界強度を、そのとき選択された受信用アンテナと対応付けて映像データとともに記憶部１３に記憶する。この記憶された各受信用アンテナの受信電界強度は、映像データが受信されたときの体腔内のカプセル型内視鏡３の位置を算出するための情報となる。
【００２５】
切替制御部ＳＣは、選択制御部Ｃ１に指示された強度受信アンテナ番号Ｎ１と映像受信アンテナ番号Ｎ２とを保持し、強度受信期間には強度受信アンテナ番号Ｎ１に対応する受信用アンテナＡ１〜Ａｎを選択接続するように切替スイッチＳＷに指示し、映像受信期間には映像受信アンテナ番号Ｎ２に対応する受信用アンテナＡ１〜Ａｎを選択接続するように、切替スイッチＳＷに指示する信号Ｓ５を切替スイッチＳＷに出力するとともに、サンプルホールド回路１５によるサンプルホールドタイミングを指示する信号Ｓ３ａ、Ａ／Ｄ変換部１６によるＡ／Ｄ変換タイミングを指示する信号Ｓ３ｂ、選択制御部Ｃ１による選択制御タイミングを指示する信号Ｓ３ｃを出力する。
【００２６】
ところで、この制御部Ｃによって登録される識別情報は、検査日などの検査ＩＤや被検者の氏名、年齢、性別の他に、たとえば被検者の顔に関する情報が含まれている。この顔に関する情報とは、イメージ情報の他に、たとえば被検者の顔の特徴、丸顔とか面長とか、特徴的なほくろの位置とか、西洋人であれば目や髪の色などの情報を含めることができる。なお、顔のイメージ情報は、ワークステーションの表示装置４に接続させた図示しない画像取込装置、たとえばイメージスキャナなどによって取り込むことが可能である。
【００２７】
医者などは、この識別情報の中から予め決められた、または任意の特定情報を操作スイッチ１９によって選択して、外部装置２ｂの表示部１４に表示させる。図４は、その外部装置２ｂの表示部１４に表示される識別情報の一例を示す図である。この図４では、被検者の特徴を示す氏名[ＮＡＭＥ]と年齢[Ａｇｅ]と顔のイメージ情報１４ａが、照合対象となる特定情報として選択されて表示されている。医者などは、この表示部１４に表示された特定情報、特に顔のイメージ情報１４ａと、受信装置２を取り付ける被検者とを照合して、正しい被検者を特定することで、被検者の取り違えを防止する。なお、識別情報の中から特定情報を選択する方法としては、上記の人為的な選択方法に限らず、たとえば予め表示する特定情報の種類をキーボードなどの入力手段によって入力して設定しておき、制御部Ｃがこの設定に基づいて、内部メモリに登録された識別情報の中からその設定された特定情報を自動的に選択して、表示部１４に表示させるように、表示部１４を表示制御することも可能である。また、特定情報としては、本実施の形態に限らず、たとえば顔のイメージ情報のみでも、また名前と年齢の情報だけであっても、またその他の被検者を特定するための情報であっても構わない。
【００２８】
次に、図１に示したカプセル型内視鏡３を使用した検査工程を、図５のフローチャートに基づいて説明する。図５において、まずワークステーションの表示装置４によって、挿着された携帯型記録媒体５に識別情報を記憶させ、次にこの携帯型記録媒体５を受信装置２の外部装置２ｂに挿着させて、外部装置２ｂ内の内部メモリに携帯型記録媒体５内の識別情報を読み出して登録する（ステップ１０１）。次に、医者などがこの登録された識別情報の中から照合対象となる特定情報を外部装置２ｂの表示部１４に表示させて、被検者との照合を行い（ステップ１０２）、特定情報と被検者とが一致したかどうか判断する（ステップ１０３）。
【００２９】
ここで、上記特定情報と被検者とが一致しない場合には、ステップ１０２に戻って、他の被検者との照合を行い、また特定情報と被検者が一致した場合には、その被検者にカプセル型内視鏡３を飲み込ませて、体腔内の検査を開始し（ステップ１０４）、次に検査が終了したかどうか判断する（ステップ１０５）。この検査中、カプセル型内視鏡３から送信されるデータは、制御部Ｃの書き込み制御によって記憶部１３に順次記録され、被検者は、この間なんら不自由を被ることなく、自由に行動することが可能となる。
【００３０】
ここで、カプセル型内視鏡３が被検体１から排出されて、体腔内の検査が終了した場合には、携帯型記録媒体５は、外部装置２ｂから取り出されて表示装置４に挿着され、この表示装置４によって、携帯型記録媒体５に記録された検査データ（識別情報および画像データ）をダウンロードする（ステップ１０６）。そして、表示装置４の表示部に、このダウンロードした検査データを表示させて、体腔内の診断を行う（ステップ１０７）。
【００３１】
このように、この実施の形態では、受信装置内に登録した識別情報の中から、被検者の特徴を示す固有の特定情報を選択して、この特定情報を受信装置の表示部に表示させて、実際の被検者と照合することを可能にするので、受信装置を被検者に取り付ける際に、被検者の照合を的確に、かつ容易に行うことができ、これによって被検者の取り違えを防止することが可能となる。
【００３２】
（実施の形態２）
図６は、図１に示した受信装置と表示装置の別の接続形態を示す構成図である。図６において、受信装置２の外部装置２ｂは、クレードル３０に載置され、上記クレードル３０とインターフェース部１８を介して接続されている。また、クレードル３０は、有線または無線によって表示装置４と電気的に接続されており、外部装置２ｂと表示装置４間でデータの同期をとって、データの転送を可能にする。また、外部装置２ｂは、内部記憶媒体としてのハードディスクを、図３に示した記憶部１３として備えている。したがって、検査前には、外部装置２ｂをクレードル３０上に載置させ、ワークステーションの表示装置４からの識別情報が、クレードル３０を介して外部装置２ｂの記憶部１３に記憶される。また、この際にたとえば、指示装置としての表示装置４からは、上記識別情報とともに、表示部１４に表示させる特定情報を選択して設定するための指示情報を外部装置２ｂに出力することも可能である。
【００３３】
また、カプセル型内視鏡３が被検体１の体腔内を移動している間は、外部装置２ｂは、クレードル３０から取り外され、被検体１に取り付けられて、カプセル型内視鏡３から送信されるデータを記録する。そして、被検体１の内部の撮像が終了した後には、外部装置２ｂを再びクレードル３０上に載置させて、表示装置４によって、記憶部１３に記録されたデータが読み出される構成を有する。
【００３４】
このように、この実施の形態では、クレードルを介して受信装置と表示装置を接続させ、識別情報の登録を行い、かつ特定情報の受信装置での表示を可能とするので、実施の形態１と同様に、受信装置を被検者に取り付ける際に、被検者の照合を的確に、かつ容易に行うことができ、これによって被検者の取り違えを防止することが可能となる。
【００３５】
また、この実施の形態では、受信装置に表示される特定情報の設定を、表示装置側からも行うことができるので、実施の形態１よりも、さらに特定情報の設定が容易になり、装置の汎用性を高めることができる。
【図面の簡単な説明】
【００３６】
【図１】実施の形態１にかかる受信装置を備えた無線型被検体内情報取得システムの全体構成を示す模式図である。
【図２】図１に示した受信装置の外観の概略を示す模式図である。
【図３】同じく、受信装置の構成を示すブロック図である。
【図４】図２に示した外部装置の表示部に表示される識別情報の一例を示す図である。
【図５】図１に示したカプセル型内視鏡を使用した検査工程を説明するためのフローチャートである。
【図６】図１に示した受信装置と表示装置の別の接続形態を示す構成図である。
【符号の説明】
【００３７】
１  被検体
２  受信装置
２ａ  受信ジャケット
２ｂ  外部装置
３  カプセル型内視鏡
４  表示装置
５  携帯型記録媒体
６  電池パック
１１  受信回路
１２  信号処理回路
１３  記憶部
１４  表示部
１４ａ  イメージ情報
１５  サンプルホールド回路
１６  Ａ／Ｄ変換部
１７  電力供給部
１８  インターフェース部
１９  操作スイッチ
２０  挿入部
３０  クレードル
Ａ１〜Ａｎ  受信用アンテナ
Ｃ  制御部
Ｃ１  選択制御部
ＣＯＮ  接続部
ＣＯＮ１〜ＣＯＮｎ  コネクタ
Ｎ１  強度受信アンテナ番号
Ｎ２  映像受信アンテナ番号
ＳＣ  切替制御部
ＳＷ  切替スイッチ
【図１】
2005296186.tif 000003
【図２】
2005296186.tif 000004
【図３】
2005296186.tif 000005
【図４】
2005296186.tif 000006
【図５】
2005296186.tif 000007
【図６】
2005296186.tif 000008